(57)【要約】【課題】冷却器を用いて棺桶内を冷却する構造においても、冷却器に結露したドレン水が棺桶本体内に落下することのない棺桶用冷却装置を提供する。【解決手段】棺桶１内の空気をダクト状の冷却ユニット１０内に設けた冷却器１２によって冷却するとともに、冷却器１２から落下するドレン水を冷却器１２の下方に設けた吸水シート１４によって吸収するようにしたので、ドレン水が棺桶本体２内に落下することがなく、遺体Ａやその周囲がドレン水で濡らされる不具合を確実に防止することができる。【選択図】図６
2005160991.tif 000002
【特許請求の範囲】
【請求項１】
上面を開口した棺桶本体と、棺桶本体の上面開口部を覆う蓋体とからなる棺桶の内部を冷却する棺桶用冷却装置において、
前記蓋体の下面側に取付けられ、送風機によって棺桶本体内の長手方向一端側から吸入した空気を冷却器によって冷却し、棺桶本体内の長手方向他端側に吐出する冷却ユニットを備え、
冷却ユニット内には冷却器から落下するドレン水を吸収可能な吸水部材を設けた
ことを特徴とする棺桶用冷却装置。
【請求項２】
前記吸水部材をシート状に形成して冷却器の下方に配置した
ことを特徴とする請求項１記載の棺桶用冷却装置。
【請求項３】
前記吸水部材を冷却ユニットに着脱自在に設けた
ことを特徴とする請求項１または２記載の棺桶用冷却装置。
【請求項４】
前記冷却ユニット内に消臭剤を設けた
ことを特徴とする請求項１、２または３記載の棺桶用冷却装置。
【請求項５】
前記冷却ユニットの空気吐出口を棺桶本体内に収容される遺体の胴部に向かって空気を吐出するように設けた
ことを特徴とする請求項１、２、３または４記載の棺桶用冷却装置。
【請求項６】
前記棺桶の外部に配置され、冷却ユニットの冷却器に冷媒流通管を介して低温冷媒を供給する外部ユニットを備えた
ことを特徴とする請求項１、２、３または５記載の棺桶用冷却装置。
【発明の詳細な説明】
【技術分野】
【０００１】  本発明は、葬儀場や遺族の自宅等において使用され、棺桶内の遺体を冷却するための棺桶用冷却装置に関するものである。
【背景技術】
【０００２】  従来、棺桶内の遺体を冷却する場合はドライアイスを使用するのが一般的であるが、遺体安置場所の温度条件や安置期間によっては棺桶内に新たなドライアイスを補充する必要がある。しかしながら、ドライアイスは極めて低温で取扱いが容易ではなく、しかも補充時に作業者が遺体と接触または接近する場合があり、感染症等の面においても懸念がある。また、地球温暖化の問題からも固形二酸化炭素であるドライアイスの使用は好ましくない。【０００３】  そこで、棺桶の蓋体の下面に冷却器を取付け、冷却器に低温冷媒を流通することにより、ドライアイスを用いることなく棺桶内の遺体を冷却するようにした棺桶用冷却装置が知られている（例えば、特許文献１参照。）。
【特許文献１】特開２００３−２３０６１０号公報
【発明の開示】
【発明が解決しようとする課題】
【０００４】  しかしながら、前記棺桶用冷却装置では、蓋体の下面に冷却器を露出させて取付けているため、冷却器に結露したドレン水が棺桶本体内に落下し、遺体やその周囲がドレン水で濡らされるという問題点があった。【０００５】  本発明は、前記問題点に鑑み、冷却器を用いて棺桶内を冷却する構造においても、冷却器に結露したドレン水が棺桶本体内に落下することのない棺桶用冷却装置を提供することを目的とする。
【課題を解決するための手段】
【０００６】  本発明は前記目的を達成するために、上面を開口した棺桶本体と、棺桶本体の上面開口部を覆う蓋体とからなる棺桶の内部を冷却する棺桶用冷却装置において、前記蓋体の下面側に取付けられ、送風機によって棺桶本体内の長手方向一端側から吸入した空気を冷却器によって冷却し、棺桶本体内の長手方向他端側に吐出する冷却ユニットを備え、冷却ユニット内には冷却器から落下するドレン水を吸収可能な吸水部材を設けている。【０００７】  これにより、冷却器から落下するドレン水が吸水シートによって吸収されることから、ドレン水がユニット本体から棺桶本体内に落下することがない。
【発明の効果】
【０００８】  本発明の棺桶用冷却装置によれば、冷却器を用いて棺桶内を冷却する構造においても、冷却器に結露したドレン水が棺桶本体内に落下することがないので、遺体やその周囲がドレン水で濡らされる不具合を確実に防止することができる。
【発明を実施するための最良の形態】
【０００９】  以下、図１乃至図６を参照し、本発明の一実施形態について説明する。ここで、図１は棺桶及び冷却装置の全体斜視図、図２は棺桶及び冷却ユニットの側面断面図、図３は蓋体及び冷却ユニットの底面図、図４はその要部側面断面図、図５はその分解側面断面図、図６は冷却ユニットの動作を示す側面断面図である。【００１０】  同図に示す棺桶１は、上面を開口した棺桶本体２と、棺桶本体２の上面開口部を覆う蓋体３とからなり、蓋体３の長手方向一端側には棺桶本体２の内部を透視するための窓部３ａが設けられている。窓部３ａは空気層３ｂを間にして配置された計２枚のガラス板３ｃからなり、断熱性を有する二重ガラス構造になっている。【００１１】  本実施形態の棺桶用冷却装置は、蓋体３の下面に設けられた冷却ユニット１０と、冷却ユニット１０に低温冷媒を供給する外部ユニット２０とからなり、外部ユニット２０は棺桶１とは別体に配置されている。【００１２】  冷却ユニット１０は、ダクト状に形成されたユニット本体１１と、ユニット本体１１内を流通する空気を冷却する冷却器１２と、ユニット本体１１内に空気を吸入する送風機１３と、冷却器１２から落下するドレン水を吸収する吸水部材としての吸水シート１４と、ユニット本体１１内を流通する空気を脱臭する脱臭剤１５とから構成されている。【００１３】  ユニット本体１１は蓋体３の窓部３ａ側を除く部分とほぼ同等の長さ及び幅を有する扁平な箱状に形成され、その底面側は着脱自在な底面板１１ａによって形成されている。この場合、底面板１１ａはネジ１１ｂによりユニット本体１１に固定されている。ユニット本体１１の長手方向一端側（窓部３ａ側）には空気吐出口１１ｃが設けられ、空気吐出口１１ｃはユニット本体１１の端面に開口している。空気吐出口１１ｃ内には先端側を下方に屈曲した複数の整流板１１ｄが互いに上下方向に間隔をおいて設けられ、各整流板１１ｄによって吐出空気が下方に案内されるようになっている。また、ユニット本体１１の長手方向他端側には空気吸入口１１ｅが設けられ、空気吸入口１１ｅはユニット本体１１の幅方向中央に配置されている。【００１４】  冷却器１２は、例えばフィン及びチューブからなる周知の熱交換器からなり、ユニット本体１１内の長手方向一端側に配置されている。冷却器１２の冷媒流入側及び流出側にはそれぞれ冷媒流通管１２ａが接続され、各冷媒流通管１２ａはユニット本体１１の長手方向他端側に延びるとともに、蓋体３の端面に取付けられた一対のカップリング１２ｂに接続されている。【００１５】  送風機１３はユニット本体１１の空気吸入口１１ｅ内に配置され、空気吸入口１１ｅからユニット本体１１内に空気を吸入するようになっている。また、送風機１３は冷却ユニット１０側に設けられた図示しない電源（電池等）によって駆動されるようになっており、蓋体３の一端面には送風機１３をオン、オフするスイッチ１３ａが設けられている。【００１６】  吸水シート１４は、例えばシート状に形成された周知の高分子吸収体からなり、冷却器１２の下面とほぼ同等の大きさに形成されている。吸水シート１４は冷却器１２の下面とユニット本体１１の底面板１１ａとの間に配置され、底面板１１ａの上面に着脱自在��載置されている。【００１７】  脱臭剤１５は、例えば活性炭を通気性の容器に収容したものからなり、ユニット本体１１内の冷却器１２の下流側に配置されている。【００１８】  外部ユニット２０は、持ち運び自在なユニット本体２１の内部に圧縮機、凝縮器、凝縮器用ファン等の冷凍機器を収容しており、フレキシブルホースからなる一対の冷媒流通管２２を介して冷却ユニット１０に接続されるようになっている。各冷媒流通管２２には冷却ユニット１０側の各カップリング１２ｂに接続可能なカップリング２２ａが取付けられ、各冷媒流通管２２を冷却ユニット１０側に接続することにより、外部ユニット２０から冷却ユニット１０の冷却器１２に低温冷媒を供給できるようになっている。また、外部ユニット２０は図示しない電源ケーブルを介して商用電源に接続され、電源ケーブルから供給される電力により圧縮機等を駆動するようになっている。【００１９】  以上のように構成された棺桶用冷却装置においては、冷却ユニット１０の送風機１３及び外部ユニット２０を作動することにより、ユニット本体１１の空気吸入口１１ｅからユニット本体１１内に吸入された空気が冷却器１２によって冷却され、ユニット本体１１の空気吐出口１１ｃから吐出される。その際、空気吐出口１１ｃから吐出される空気は、図６に示すように棺桶本体２内の一端側（窓部３側）に吹き出されるとともに、棺桶本体２内を他端側に向かって流通することから、冷風が棺桶本体２内の遺体Ａの胴部に向かって積極的に吐出される。【００２０】  また、冷却器１２を流通する空気中の水分が冷却器１２に結露すると、冷却器１２に結露したドレン水が下方に落下するが、冷却器１２の下方には吸水シート１４が設けられているため、ドレン水は吸水シート１４によって吸収され、ユニット本体１１から棺桶本体２内に落下することはない。この場合、図５に示すようにユニット本体１１のネジ１１ｂを外して底面板１１ａを取外すことにより、吸水シート１４を新たなものに交換できるようになっている。【００２１】  尚、出棺の際は、冷却ユニット１０を備えた蓋体３を図示しない通常の蓋体に交換することにより、冷却ユニット１０及び蓋体３の再利用が可能である。【００２２】  このように、本実施形態によれば、棺桶１内の空気をダクト状の冷却ユニット１０内に設けた冷却器１２によって冷却するとともに、冷却器１２から落下するドレン水を冷却器１２の下方に設けた吸水シート１４によって吸収するようにしたので、ドレン水が棺桶本体２内に落下することがなく、遺体Ａやその周囲がドレン水で濡らされる不具合を確実に防止することができる。【００２３】  また、シート状の吸水シート１４を冷却器１２の下方に配置したので、吸水シート１４の設置スペースを小さくすることができ、ユニット本体１１を薄型化することができる。この場合、吸水シート１４を冷却器１２とほぼ同等の大きさに形成したので、冷却器１２から落下するドレン水を確実に吸収することができる。【００２４】  更に、吸水シート１４を冷却ユニット１０に着脱自在に設けたので、吸水シート１４を新たなものに容易に交換することができ、使用後のメンテナンスに極めて有利である。【００２５】  また、冷却ユニット１０内に��臭剤１５を設けたので、冷却ユニット１１内に吸入した空気の脱臭をすることができ、遺体Ａの死臭を除去する場合に効果的である。【００２６】  更に、冷却ユニット１０の空気吐出口１１ｃを棺桶本体２内に収容される遺体Ａの胴部に向かって空気を吐出するように設けたので、遺体Ａに対して腐敗の早い内臓を積極的に冷却することができ、遺体Ａの腐敗を効果的に抑制することができる。【００２７】  また、棺桶１の外部に配置される外部ユニット２０を備え、外部ユニット２０から冷却ユニット１０の冷却器１２に低温冷媒を供給するようにしたので、外部ユニット２０を人目に付かない場所に配置することにより、葬儀の演出効果を低下させることがないという利点がある。【００２８】  尚、前記実施形態では、冷却器１２から落下するドレン水を冷却器１２の下方に配置した吸水シート１４によって直接吸収するようにしたものを示したが、例えば冷却器１２の下方にドレンパンを設け、ドレンパンによって回収したドレン水を吸水部材によって吸収するようにしてもよい。この場合、吸水部材はシート状である必要はなく、冷却器１２の下方以外に配置されていてもよい。
【図面の簡単な説明】
【００２９】
【図１】本発明の一実施形態を示す棺桶及び冷却装置の全体斜視図
【図２】棺桶及び冷却ユニットの側面断面図
【図３】蓋体及び冷却ユニットの底面図
【図４】蓋体及び冷却ユニットの要部側面断面図
【図５】蓋体及び冷却ユニットの分解側面断面図
【図６】冷却ユニットの動作を示す側面断面図
【符号の説明】
【００３０】  １…棺桶、２…棺桶本体、３…蓋体、１０…冷却ユニット、１１…ユニット本体、１２…冷却器、１３…送風機、１４吸水シート、１５…脱臭剤、２０…外部ユニット。
【図１】
2005160991.tif 000003
【図２】
2005160991.tif 000004
【図３】
2005160991.tif 000005
【図４】
2005160991.tif 000006
【図５】
2005160991.tif 000007
【図６】
2005160991.tif 000008